(57)【要約】【課題】  いかなる動作状態にあっても、簡単かつ確実にカラー受像管の消磁を実行できるテレビジョン受像機を得る。【解決手段】  テレビジョン受像機１００内部においてカラー受像管１０３の周囲に配設された消磁コイル１０５，１０６と、印刷配線基板１０８の消磁電流生成回路とを結ぶリード線１０７の中間部に、第１の接続部材２０１と第２の接続部材２０２で構成される中継コネクタ１１１を設け、この中継コネクタ１１１の第１及び第２の接続部材２０１，２０２を分離して、消磁コイルに接続されている接続部材を外部の消磁電流生成回路に接続して、消磁コイル１０５，１０６に外部から消磁電流を流すように構成した。【選択図】  図１
2005323138.tif 000002
【特許請求の範囲】
【請求項１】
カラー受像管と、
このカラー受像管の周囲に配置された消磁コイルと、
この消磁コイルに供給する減衰交流電流を生成する消磁電流生成回路と、
電気的かつ機械的に接離可能な一対の接続部材で構成される中継コネクタと、
前記中継コネクタの一方の接続部材と前記消磁コイル間及び前記消磁電流生成回路と前記中継コネクタの他方の接続部材間をそれぞれ接続するリード線と、
を具備したことを特徴とするテレビジョン受像機。
【請求項２】
前記消磁電流生成回路が電源の切換に連動して駆動されるものであることを特徴とする請求項１に記載のテレビジョン受像機。
【請求項３】
前記カラー受像管がその内部に色選別電極を備えていることを特徴とする請求項１または２に記載のテレビジョン受像機。
【請求項４】
テレビジョン受像機のカラー受像管の周囲に配置された消磁コイルと、
この消磁コイルにリード線を介して接続されたコネクタの接続部材を備え、この接続部材が、リード線を介して、前記テレビジョン受像機内部において減衰交流電流を生成する消磁電流生成回路と接続された接続部材または、外部に設けられた減衰交流電流を生成する消磁電流生成回路の出力を導出する接続部材に選択的に接続されるように構成されたことを特徴とする消磁コイル装置。
【請求項５】
テレビジョン受像機内部に設けられた消磁電流生成回路が、当該テレビジョン受像機の電源切換に連動して駆動されるものであることを特徴とする請求項４に記載の消磁コイル装置。
【請求項６】
前記カラー受像管がその内部に色選別電極を備えていることを特徴とする請求項４または５に記載の消磁コイル装置。
【発明の詳細な説明】
【技術分野】
【０００１】
本発明は、カラー受像管の消磁を行うための消磁コイルを備えたテレビジョン受像機及びその消磁コイル装置に関し、特にテレビジョン受像機の製造過程においてカラー受像管の消磁処理を実行するに適したカラーテレビジョン受像機及び消磁コイル装置に関する。
【背景技術】
【０００２】
カラーテレビジョン受像機においては、カラー受像管のシャドウマスクあるいは表示パネル面が地磁気の影響を受けて着磁されることがあり、それによって、表示される画像のピュリティ（色純度）が悪化するため、消磁コイルを設けて、着磁された磁性を消磁するようにしている。
【０００３】
すなわち、カラー受像管のファンネル部から、ファンネル部とパネル部の結合部分にかけて、消磁コイルを配置し、この消磁コイルに交流電流を流し、そのレベルを徐々に減衰させるように制御することで、所定時間で減衰してゼロになる交番磁界を消磁コイルによって発生させて、消磁を行うものである。
【０００４】
消磁コイルに減衰交流電流を流すために、一般的には、テレビジョン受像機の電源回路に供給される商用交流電源を利用した回路が適用される。すなわち、例えば、消磁コイルに直列に、温度が高くなると抵抗値が大きくなる抵抗素子（ポジスタ）を接続して、交流電源を印加する。それによって流れる電流により当該抵抗素子を発熱させる。このとき、抵抗素子の抵抗値は自らの発熱によって増大し、それによってさらに発熱量が増えるという相乗効果で結局、消磁コイルには交流減衰電流が流れることになり、カラー受像管に減衰交番磁界が印加されて消磁が行われるものである。
【０００５】
さらに、このようなテレビジョン受像機においては、工場の製造過程において、コンバーゼンス調整、色純度調整等のカラー受像管の表示に関する調整を行うが、その際にも、シャドウマスク等が着磁されていると、表示自体が適正でなくなるため、正しい調整が実行できないという問題が起こる。このため、そのような調整を行う前に、カラー受像管に対して消磁を行い、その影響を取り除くようにしている。
【０００６】
製造過程における、消磁処理は、前述したようなテレビジョン受像機に内蔵されている消磁コイルを用いるこくなく、外部からカラー受像管に対して、減衰交番磁界を与えるように構成するのが一般的である。
【０００７】
すなわち、作業者は、減衰交番磁界を発生するリング状の消磁コイルを手に持って、それをカラー受像管の画像表示面に平行に移動させるようにして消磁を行う。
【０００８】
従来、以上のようにしてカラー受像管の消磁を行っていたが、昨今、構造上、外部から磁界を与えるだけでは、消磁を完全に行うことができないカラー受像管を採用したテレビジョン受像機が市販されるようになり、消磁処理の方法も改善されてきつつある。
【０００９】
例えば、鉄製の薄板で構成される色選別電極を内部に備えたカラー受像管においては、色選別電極を張力（テンション）を生成せしめた状態で取り付けるように構成しているが、その際、張力は均一でなく、中央部が周辺部に対して、強い張力が発生するように設定されている。
【００１０】
このため、色選別電極の磁気特性も中央部と周辺部で差が生ずるようになり、従来のような外部からの磁界による消磁処理では、着磁した磁性分を完全に消去（消磁）させることができなくなる。
【００１１】
そこで、このようなカラー受像管を用いたテレビジョン受像機では、製造過程においても、内部に設けられた消磁コイルを用いて、カラー受像管の消磁処理を実行するようにしている。
【００１２】
テレビジョン受像機に設けられた、消磁コイルに流すための消磁電流生成回路は、テレビジョン受像機の電源切換えと連動して駆動されるように構成されているため、それをそのまま利用することは、製造過程のカラー受像管周りの調整時にあっては、作業効率の低下を招くことになり、好ましくない。
【００１３】
そこで、減衰交流電流を生成する回路を外部に備え、この回路から消磁コイルに消磁用電流を供給するように構成する。
【００１４】
その具体的作業は、まずテレビジョン受像機内部の消磁電流生成回路が形成された印刷配線基板とコネクタを介して接続されて、生成された消磁電流を消磁コイルに供給するリード線を、印刷配線基板から外す。
【００１５】
次に、外されたリード線のコネクタを外部消磁電流生成回路に接続して、消磁電流を消磁コイルに供給するというものである。
【００１６】
このように、従来のテレビジョン受像機では、その製造過程で、内部に設けられた消磁コイルに、外部から消磁電流を供給するようにしているため、消磁コイルのリード線の端部に接続されたコネクタを外し、さらにそのコネクタを外部消磁電流生成回路に接続する必要がある。
【００１７】
そのため、消磁電流を出力する印刷配線基板のコネクタが、例えば、印刷配線基板の、奥の位置（カラー受像管の表示パネル面に近い位置）に設けられていた場合には、作業者の手が届かず、一旦印刷配線基板を、外方向に少なくとも一部分引き出してから、コネクタを外す作業をしなくてはならないという問題を有している。
【００１８】
このような、色選別電極を内部に備えたカラー受像管が市場に投入されてから、さほど長い時間が経過していないため、上述した問題を解決する提案は、未だなされておらず、解決策の実現が要望されつつある。
【００１９】
従来、例えば特許文献１には、色選別電極を備えたカラー受像管の消磁に関する記述が見られるが、そのカラー受像管を組み込んだテレビジョン受像機の例えば製造過程において、効率よく消磁処理を行わせるという点については何ら記載されていない。
【特許文献１】特開２００４−４８７１２号公報
【発明の開示】
【発明が解決しようとする課題】
【００２０】
以上のように、従来、テレビジョン受像機内部に設けられた消磁コイルに外部から消磁電流を供給してカラー受像管の消磁を行う際に、作業効率が芳しくないという問題があった。
【００２１】
本発明は以上の点に鑑みてなされたものであり、テレビジョン受像機内部に設けられた消磁コイルと、消磁電流生成回路とを接続するリード線の中間部に中継コネクタを配置し、この中継コネクタを介して外部消磁電流を供給するように構成することで、消磁処理の作業効率を著しく向上させることができるようにしたテレビジョン受像機及び消磁コイル装置を提供することを目的とする。
【課題を解決するための手段】
【００２２】
本発明のテレビジョン受像機は、カラー受像管と、このカラー受像管の周囲に配置された消磁コイルと、この消磁コイルに供給する減衰交流電流を生成する消磁電流生成回路と、電気的かつ機械的に接離可能な一対の接続部材で構成される中継コネクタと、前記中継コネクタの一方の接続部材と前記消磁コイル間及び前記消磁電流生成回路と前記中継コネクタの他方の接続部材間をそれぞれ接続するリード線と、を具備したことを特徴とする。
【００２３】
本発明の消磁コイル装置は、テレビジョン受像機のカラー受像管の周囲に配置された消磁コイルと、この消磁コイルにリード線を介して接続されたコネクタの接続部材を備え、この接続部材が、リード線を介して、前記テレビジョン受像機内部において減衰交流電流を生成する消磁電流生成回路と接続された接続部材または、外部に設けられた減衰交流電流を生成する消磁電流生成回路の出力を導出する接続部材に選択的に接続されるように構成されたことを特徴とする。
【発明の効果】
【００２４】
本発明によれば、テレビジョン受像機の製造過程はもとより、テレビジョン受像機がいかなる動作状態にあってもカラー受像管の消磁処理作業を極めて効率よく簡単にかつ確実に実行することができるものである。
【発明を実施するための最良の形態】
【００２５】
以下、図面を参照しながら本発明のテレビジョン受像機の一実施の形態を詳細に説明する。  
図１は、本発明のテレビジョン受像機１００の内部構成を模式的に示す図であり、筐体１０１の前面パネル部分１０２に、カラー受像管１０３が、その角部に設けられた取り付け金具１０４によって取り付けられている。
【００２６】
カラー受像管１０３には、そのネック部を境にして上下の領域にそれぞれ、ネック部からファンネル部を経てファンネル部とパネル部の結合部を水平方向にたどり、再びファンネル部からネック部に戻るように消磁コイル１０５，１０６が配設されている。
【００２７】
消磁コイル１０５，１０６はネック部付近で一方の端部同士が結合され、それぞれの他方端がリード線１０７に接続されている。
【００２８】
筐体１０１の底部には、テレビジョン受像機１００の回路を構成する電気部品が搭載された印刷配線基板１０８が設けられており、この印刷配線基板１０８には、例えば、受像機の電源をオンした際に、減衰交流信号を生成する消磁電流生成回路も設けられ、さらにその消磁電流を導出するためのコネクタ１０９が設けられている。
【００２９】
消磁コイル１０５，１０６のリード線１０７は、その先端に印刷配線基板１０８のコネクタ１０９と結合するコネクタ１１０が設けられ、さらに中間部に中継コネクタ１１１が設けられている。
【００３０】
中継コネクタ１１１は、消磁コイル１０５，１０６側のリード線１０７と、印刷配線基板１０８側のリード線１０７を機械的かつ電気的に結合すると共に、結合を解くことが可能なように構成されており、結合が解かれた状態で、外部の消磁電流供給回路と結合可能なように構成されている。
【００３１】
図２は、中継コネクタ１１１の外観を示す斜視図であり、中継コネクタ１１１は、外形が直方体形状の第１の接続部材２０１と第２の接続部材２０２で構成され、樹脂によつて形成されている。第１の接続部材２０１は、端部に一対の開口部２０３が設けられ、各開口部２０３には、それぞれ接続用の導電性ピン２０４が設けられている。導電性ピン２０４は、基端部において第１の接続部材本体に固定されると共に、リード線１０７と電気的に接続されている。
【００３２】
また、一対の開口部２０３には、その内壁にそれぞれ溝部２０５が導電ピン２０４の長手方向に対応するように設けられ、さらに、一対の開口部２０３が設けられた端部と、両開口部２０３を跨ぐように接する面の一方に係止部２０６が設けられている。
【００３３】
第２の接続部材２０２は、一方の端部側に、第１の接続部材２０１の開口部２０３内に挿入可能な外形寸法の嵌挿部２０７が形成されている。この嵌挿部２０７の内部には、第１の接続部材２０１の導電ピン２０４を受ける図示しない導電性の接続子が配設され、この接続子の基端部は第２の接続部材２０２本体に固定されていると共に、リード線１０７と接続されている。
【００３４】
さらにこの嵌挿部２０７には、第１の接続部材２０１の溝部２０５と摺動自在に係合する突出部２０８が形成されている。さらに、第１の接続部材２０１の係止部２０６と対応するように、弾性片２０９が設けられ、弾性片２０９の先端には、係止部２０５に係止される突起２１０が形成されている。
【００３５】
以上のような構成によって、第１の接続部材２０１の開口部２０３に、第２の接続部材２０２の嵌挿部２０６を挿入し、さらに弾性片２０９を係止部２０６に嵌合させつつさらに、挿入を進めると、弾性片２０９の突起２１０が係止部２０６で係止されるようになる。
【００３６】
これによって、第１の接続部材２０１と第２の接続部材２０２が機械的かつ電気的に結合され、リード線１０７同士が電気的に接続されたことになる。
【００３７】
また、弾性片２０９を撓ませ、その突起２１０と係止部２０５との係合を解除して、両接続部材２０１，２０２を離れる方向にスライドさせれば、接続部材２０１，２０２を分離させることができる。
【００３８】
図３は、両接続部材２０１，２０２の断面図であり、図２と同一構成部分に同じ符号を付す。
【００３９】
第１の接続部材２０１は、導電ピン２０４が開口部２０３内に突出するように配置され、その基端部にリード線１０７と例えばカシメ等によって接続する接続部３０１が設けられている。
【００４０】
第２の接続部２０２は、その嵌挿部２０７の内部に導電ピン２０４を受ける筒形状の接続子３０２が設けられ、その基端部にリード線１０７とたとえばカシメ等によって接続する接続部３０３が設けられている。さらに、接続子３０２の先端部付近の接続部材本体には、導電ピン２０４が接続子３０２に挿入されるのを案内するテーパ部３０４が形成されている。
【００４１】
図２、図３で示す第１の接続部材２０１を例えば、図１の印刷配線基板１０８側に配置してリード線１０７と接続し、第２の接続部材２０２を消磁コイル１０５，１０６側に配置してリード線１０７と接続する。
【００４２】
テレビジョン受像機１００の製造工程において、カラー受像管１０３の消磁を行う場合、中継コネクタ１１１の第１及び第２の接続部材２０１，２０２の結合を解き、消磁コイル１０５，１０６側の第２の接続部材２０２を外部の消磁電流生成回路の出力コネクタと結合させることによって、消磁コイル１０５，１０６に減衰交流電流を流し、減衰交番磁界を発生させることで、カラー受像管１０３の消磁を完全に実行させることができるものである。
【００４３】
図４は、外部の消磁電流生成回路の一実施の形態を示す回路図であり、図１乃至図３と同一構成部分に同じ符号を付す。図４において、消磁電流生成回路４０１は、電源プラグ４０２を介して交流電源に接続される一対の線路４０３と、その線路４０３の一方と、コネクタ１１２の第２の接続部材２０２と結合される外部接続部材４０４の端子４０５の一方との間に介在されたスイッチ４０６と温度感応抵抗素子（バリスタ）４０７の直列接続を含み、さらにスイッチ４０６と抵抗素子４０７の接続点と、線路４０３の他方間に接続された抵抗素子４０８を有する。なお、線路４０３の他方は外部接続部材４０４の端子４０５の他方に直接接続されている。
【００４４】
外部接続部材４０４は、例えばコネクタ１１２の第１の接続部材２０１と略同形状に構成されており、端子４０５は導電ピン２０４と同形状同寸法に形成されている。また、スイッチ４０６は操作しない状態では、端子間を開放するオフ状態に保持される常閉スイッチである。
【００４５】
図４において、電源プラグ４０２を交流電源に接続子すると共に、消磁電流生成回路４０１の外部接続部材４０４を、コネクタ１１２の第２の接続部材２０２に結合した状態で、スイッチ４０６をオンさせると、線路４０３、スイッチ４０６、抵抗素子４０７、外部接続部材４０４、第２の接続部材２０２、消磁コイル１０５，１０６、第２の接続素子２０２，外部接続部材４０４及び線路４０３という経路に交流電流が流れる。
【００４６】
それによって、抵抗素子４０７が発熱し、その抵抗値を増加させるため、さらに発熱が進んで抵抗値を増加させる作用が働き、結局、抵抗素子４０７と消磁コイル１０５，１０６を含む回路には、減衰交流電流が流れることになり、消磁コイル１０５，１０６から減衰交番磁界が発生されて、カラー受像管の消磁処理が実行されるものである。
【００４７】
なお、消磁電流生成回路とては、図４に示すものに限定されるものではなく、従来から、テレビジョン受像機内部に設けられる一般的な消磁電流生成回路をそのまま適用することが可能である。
【００４８】
また、以上の説明した実施の形態では、テレビジョン受像機の製造過程において本発明を用いるものとしたが、本発明はそれに限定されるものではなく、テレビジョン受像機がいかなる動作状態にあっても実行することが可能である。例えばサービスエンジニアが修理を行う際に、テレビジョン受像機の稼動状態で消磁を実行させたりする場合にも適用でき、さらにテレビジョン受像機の電源がオフになっている非動作状態でも実行することが可能である。
【００４９】
さらに、本発明は、カラー受像管として色選別電極を備えたものに限定して適用されるものではなく、一般のカラー受像管にも適用可能である。
【００５０】
以上のように、本発明によれば、テレビジョン受像機がいかなる動作状態にあっても、カラー受像管の消磁を実行させ得るものであり、テレビジョン受像機の製造時はもとより、サービス時その他任意のタイミングで簡単にかつ確実にカラー受像管の消磁を行うことができるものである。
【図面の簡単な説明】
【００５１】
【図１】本発明に係るテレビジョン受像機の一実施の形態の内部構成を示す図。
【図２】図１に示す受像機の要部を構成する中継コネクタの斜視図。
【図３】図２に示す中継コネクタの断面図。
【図４】本発明に係るテレビジョン受像機に適用される外部消磁電流生成回路の一実施の形態を示す回路図。
【符号の説明】
【００５２】
１００…テレビジョン受像機
１０１…筐体
１０２…前面パネル
１０３…カラー受像管
１０４…取り付け金具
１０５…消磁コイル
１０６…消磁コイル
１０７…リード線
１０８… 印刷配線基板
１０９…コネクタ
１１０…コネクタ
１１１…中継コネクタ
２０１…第１の接続部材
２０２…第２の接続部材
２０４…導電ピン
３０１…接続部
３０２…接続子
３０３…接続部
３０４…テーパ部
【図１】
2005323138.tif 000003
【図２】
2005323138.tif 000004
【図３】
2005323138.tif 000005
【図４】
2005323138.tif 000006